(57)【要約】【課題】  バール等によるこじ開けに対しても、障子の開放の規制状態を維持することができる障子を提供する。【解決手段】  躯体開口部に固定される枠体と、枠体に対してスライド開閉自在に配置される障子と、障子の框の室内側面に配置されて障子の開放を規制するサブロックを有し、框は、サブロックが配置される室内側面が樹脂材料により形成されサブロックが配置される室内側面にサブロックを取付けるための取付部が形成されており、サブロックは、障子の框に取り付けられるケース部材と、ケース部材に支持され障子の開放を規制する突出状態と障子の開放に干渉しない収納状態とが選択自在であるロック部材とからなり、サブロックを取付けるための取付部の戸先側辺、もしくはサブロックの戸先側には、サブロックが取付部の戸先側辺に強く押し付けられたときに、取付部の戸先側辺を裂き開くことを導く裂開導入部を有する。【選択図】図４
2018104918.tif 000002
【特許請求の範囲】
【請求項１】
躯体開口部に固定される枠体と、枠体に対してスライド開閉自在に配置される障子と、障子の框の室内側面に配置されて障子の開放を規制するサブロックを有し、
框は、サブロックが配置される室内側面が樹脂材料により形成されサブロックが配置される室内側面にサブロックを取付けるための取付部が形成されており、
サブロックは、障子の框に取り付けられるケース部材と、ケース部材に支持され障子の開放を規制する突出状態と障子の開放に干渉しない収納状態とが選択自在であるロック部材とからなり、
サブロックを取付けるための取付部の戸先側辺、もしくはサブロックの戸先側には、サブロックのロック部材が突出状態において障子に開放方向への力が加わってサブロックが取付部の戸先側辺に強く押し付けられたときに、取付部の戸先側辺を裂き開くことを導く裂開導入部を有する
ことを特徴とする建具。
【発明の詳細な説明】
【技術分野】
【０００１】
建物開口部に配置され、引き戸障子を備える建具に関する。
【背景技術】
【０００２】
従来、建物開口部に配置される引き戸建具として、例えば、図１（ａ）に示すような建具のように、障子の開放を規制するクレセント錠４のカギに加えて、例えば外障子の下框に配置され、施錠時に室内側に突出し障子の開放時に内障子の召合せ框に干渉して障子の開放を規制するサブロック５を配置した建具が周知となっている。
このような建具において、サブロックの内障子の召合せ框に干渉する部分に突部を形成し、召合せ框に該突部が当接する溝部を形成することで、サブロックと内障子の召合せ框とのずれを防止して、サブロックによる障子の開放の規制を確実にするサブロックを備えた建具が知られている。（特許文献１）
【先行技術文献】
【特許文献】
【０００３】
【特許文献１】：特開２００５−１３９８４９号
【発明の概要】
【発明が解決しようとする課題】
【０００４】
特許文献１の建具においては、サブロックと内障子との当接にずれが生じにくくなって、サブロックによる確実な開放の規制を行うことができるが、バール等によって障子に対して開放方向へ大きな力を加えることで、図６（ａ）（ｂ）に示すように、サブロックが固定される下框の取付穴から下框内にめり込んでしまい、それによって、サブロックのロック片がケース体に収納状態となり、障子の開放の規制が解除されてしまう可能性があった。
【０００５】
本発明は、上記の事情を鑑みたものであり、サブロックにより障子の開放を規制している状態で障子を開放する方向に大きな外力が加わった場合に、外力によりサブロックが障子の框内に没入して障子の開放の規制が解除されてしまうことを防止して、サブロックによる障子の開放の規制状態を維持することができる建具を提供することを目的とする。
【課題を解決するための手段】
【０００６】
本願の請求項１に係る発明は、躯体開口部に固定される枠体と、枠体に対してスライド開閉自在に配置される障子と、障子の框の室内側面に配置されて障子の開放を規制するサブロックを有し、框は、サブロックが配置される室内側面が樹脂材料により形成されサブロックが配置される室内側面にサブロックを取付けるための取付部が形成されており、サブロックは、障子の框に取り付けられるケース部材と、ケース部材に支持され障子の開放を規制する突出状態と障子の開放に干渉しない収納状態とが選択自在であるロック部材とからなり、サブロックを取付けるための取付部の戸先側辺、もしくはサブロックの戸先側には、サブロックのロック部材が突出状態において障子に開放方向への力が加わってサブロックが取付部の戸先側辺に強く押し付けられたときに、取付部の戸先側辺を裂き開くことを導く裂開導入部を有することを特徴とする。
【発明の効果】
【０００７】
本発明によれば、サブロックにより障子の開放を規制している状態で障子を開放する方向に大きな外力が加わっても、サブロックが障子の框内に没入することなく、障子の開放の規制状態を維持することができる。
【図面の簡単な説明】
【０００８】
【図１】本発明の実施形態に係る建具の図であり、（ａ）は内観図であり、（ｂ）は召合部の下方部位の図である。
【図２】本発明の実施形態に係る建具に採用するサブロックの図であり、（ａ）は正面図、（ｂ）は平面断面図、（ｃ）（ｄ）はサブロックのケース部材の斜視図、（ｅ）（ｆ）はサブロックのロック部材の斜視図である。
【図３】本発明の実施形態に係る建具の外障子の召合せ部の下方部分の図であり、（ａ）は分解図であり、（ｂ）はその組み立て図である。
【図４】本発明の実施形態に係る建具のロック部材を突出させた状態の召合せ部の下方部分の図であり、（ａ）は横断面図であり、（ｂ）は外障子の戸先側から召合わせ方向を見た図である。
【図５】本発明の実施形態に係る建具のロック部材を突出させた状態の召合せ部の下方部分の図であり、（ａ）は斜視図であり、（ｂ）は横断面図である。
【図６】従来の建具において、ロック部材を突出させた状態でバール等によってこじ開けられた状態の召合部の下方部分の図であり、（ａ）は斜視図であり、（ｂ）は横断面図である。
【図７】本発明の実施形態に係る建具において、ロック部材を突出させた状態でバール等によってこじ開けられた状態の召合せ部の下方部分の図であり、（ａ）は斜視図であり、（ｂ）は横断面図である。
【図８】本発明の他の実施形態に係る建具に採用するサブロックの図であり、（ａ）は正面図、（ｂ）は平面断面図、（ｃ）は取付部とサブロックとの関係を示す図である。
【発明を実施するための形態】
【０００９】
本発明の実施形態に係る建具を、図面を参照して説明する。
（サブロックを備える建具）
本発明の実施形態に係る建具は、建物の躯体開口部に設置され、図１（ａ）（ｂ）に示すように、上枠、下枠及び左、右縦枠を四周に組んでなる枠体１と、上框、下框、及び、左、右縦框を四周に組んでその内周にパネル体が嵌め込まれてなる内、外障子２，３とからなり、枠体１に形成された内、外案内レールに沿って内、外障子２，３を左右方向に移動可能に支持することにより、躯体開口部を開閉する引き違いサッシとして構成されている。
そして、内、外障子２，３の召合せ部にはクレセント錠４が配置されており、外障子３の下框３２の召合框２３寄りの室内側面には、内、外障子２，３の開放を規制するサブロック５が配置されているとともに、内障子２の召合框２３の下端には、内案内レール１２ａに対する内障子２の振れを防止する振止部材６が配置されている。
なお、本発明の建具は、引き違いサッシに限るものではなく、片引き窓など、窓枠に対して障子をスライドさせて開閉するものであれば、上下に開放する窓などを含め、どのような方式のサッシであってもよい。
【００１０】
サブロック５は、図２（ａ）（ｂ）に示すように、外障子３の下框３２の室内側面に係止固定されるケース部材５１と、ケース部材５１に対して支軸５１ａを中心にして回動自在に保持されているロック部材５２を有している。
【００１１】
ケース部材５１は、図２（ｃ）（ｄ）に示すように、ロック部材５２を保持する矩形枠状の枠状部５１１を有し、枠状部５１１の一方側開口部の周縁には、ケース部材５１を下框３２の室内側面に形成された取付穴に係止固定した際に取付穴の周縁に配置される鍔部５１２を有しており、ケース部材５１の長手方向両端には、取付穴に係止固定した際に下框３２の室内側壁もしくは召合框２３の室内側の間口壁に係合される係合片５１３，５１４が突出している。
また、枠状部５１１の他方側開口部には、弾性を有する係合弾性片５１１ａが他方側開口部のほぼ中央位置から外障子３の戸先側（閉鎖方向）に向かって延設されており、戸先側部位（他方側開口部の閉鎖方向端部位置近傍）には、ロック部材５２が突出状態においてロック部材５２の反突出側にある位置決め部５２１ｂが係合保持される保持片部５１１ｂを備えている。
さらに、枠状部５１１の召合側（外障子開放方向側）であって一方側開口部付近には、枠状部５１１に対して回動するロック部材５２のロック位置と収納位置とを位置決めする位置決め突起５１１ｃ，５１１ｃが突設されている。
【００１２】
ロック部材５２は、ケース部材５１から突出して障子の開放を規制する突出状態とケース部材５１内に収納されて障子の開放に干渉しない収納状態とに選択自在に支持される。そして、ロック部材５２は、図２（ｅ）（ｆ）に示すように、ブロック状のロック本体５２１の一端にロック凸部５２１ａが形成され、他端に位置決め部５２１ｂが形成されてなり、ロック本体５２１の他端寄りにはロック部材５２をケース部材５１に対して回動自在に支持するための軸穴５２１ｃが形成されている。
また、ロック本体５２１のロック凸部５２１ａ寄りには、ケース部材５１の位置決め突起５１１ｃ，５１１ｃに対してロック部材５２のロック位置と収納位置とで当接する位置決め凹部５２１ｄが形成されている。
【００１３】
一方、サブロック５が取付られる外障子３の下框３２の室内側は、樹脂材料により形成される樹脂下框３２２が配置されており、サブロック５の取付部は、図３（ａ）に示すように、下框３２の樹脂下框３２２の室内側面の召合側端部に設けられる取付穴３２２ａとして形成されており、外障子３の下框３２を召合框３４の間口底部３４ａに突き当てて連結した際に、取付穴３２２ａの召合框側が召合框３４の室内側間口壁３４１に覆われるように形成されている。
そして、サブロック５を下框３２に取り付けるに際しては、取付穴３２２ａに対してケース部材５１を召合せ側から戸先側に向かって挿入して取付穴３２２ａの戸先框側端部を鍔部５１２と係合片５１３とで挟み込んで係止するとともに、サブロック５全体を取付穴３２２ａに嵌入して鍔部５１２を取付穴３２２ａの外周に当接させた状態で下框３２を召合框３４の間口内に挿入することで、係合片５１４が室内側間口壁３４１に抑えられて、サブロック５が外障子３の下框３２の召合框側に取付られる。
【００１４】
内障子２の召合框２３の下端に取り付けられる振止部材６は、例えば樹脂材料等からなり、図４（ａ）（ｂ）に示すように、召合框２３の中空部内に下方から挿入される挿入取付部６１と、挿入取付部６１の下端部分に形成され内案内レール１２ａに対して隙間をあけて挟持するように配置される振れ止め部６２と、召合框２３の外周面に配置される内周壁部６３とを有しており、風等の外力が加わった時などに振れ止め部６２が内案内レール１２ａに当接することで、それ以上障子が大きく振れてガタついたり、外れたりすることを防止している。
【００１５】
そして、振止部材６の内周壁部６３の室外側上方部位、具体的には、外障子３の下框３２に配置されたサブロック５のロック部材５２をロック位置にした状態でロック部材５２のロック凸部５２１ａが対向する位置には、上方が開口する凹部６３ａが形成されており、さらに、凹部６３ａの室内側には、凹部６３ａに当接したロック凸部５２１ａの室内側面に当接することで、ロック凸部５２１ａが室内側に外れるのを防止する外れ止め凸部６３ｂが形成されている。
【００１６】
（サブロックによる開放規制）
サブロック５によって内、外障子２，３の開放を規制する際には、図５（ａ）、（ｂ）に示すように、サブロック５のロック部材５２をケース部材５１の支軸５１ａを中心にして突出位置に回動させてロック部材５２のロック凸部５２１ａを下框３２から室内側に突出させる。それによって、内障子２を開放する際には内障子２の召合框２３の外周面がロック凸部５２１ａに当接することでそれ以上の開放移動が阻止されて、内、外障子２，３の開放が規制される。
【００１７】
このとき、ロック凸部５２１ａが当接する内障子２の召合框２３の下端には振止部材６が配置されており、ロック凸部５２１ａが振止部材６の内周壁部６３に形成された凹部６３ａに係合当接することで、例えば、侵入者がバール等によって内、外障子２，３をこじ開けようとしても、ロック凸部５２１ａの室内外方向への外れが防止されて、サブロック５による内、外障子２，３の開放を防ぐことができる。そして、内、外障子２，３をこじ開けようとする力は、振止部材６の内周壁部６３により受けることとなるが、振止部材６の内周壁部６３が受けた力は振れ止め部６２に伝達され、内案内レール１２ａによって受けることができるので、サブロック５による強固なロック状態を維持することができる。
【００１８】
しかし、バール等による引違い建具のこじ開けに際しては、テコの原理を用いることで樹脂形材を破壊する程の非常に強いこじ開け力を発生させることができる。そして、サブロック５のロック凸部５２１ａと振止部材６の内周壁部６３の凹部６３ａとの係合状態が強固なものであるために、図６（ａ）（ｂ）に示すように、サブロック５の戸先側面が強く取付穴３２２ａの戸先側辺に押し付けられて取付穴３２２ａの角部に亀裂が入ることで戸先側の室内側面がめくりあがるなどして、サブロック５が外障子３の下框３２の樹脂下框３２２の中空内部にめり込んでしまうことがある。このようにサブロック５が下框３２の樹脂下框３２２にめり込んでしまうと、ロック部材５２の突出状態が維持されず収納状態に変更してしまい、ロック部材５２によるロック状態を維持できなくなって、内、外障子２，３が開放されてしまうことがある。
【００１９】
そこで、本発明の建具においては、サブロック５を取付固定する外障子３の下框３２の取付部（取付穴３２２ａ）若しくはサブロック５のケース部材５１に、サブロック５が取付穴３２２ａに強く押し付けられたときに取付穴３２２ａの戸先側の樹脂下框３２２がめくりあがる前に、取付穴３２２ａの戸先側の樹脂下框３２２を裂き開くことでサブロック５が下框の３２の樹脂下框３２２内へのめり込むことを防止する裂開導入部が形成されている。
具体的には、本実施形態の建具においては、図３（ａ）に示すように、外障子３の下框３２のサブロック５の取付部（取付穴３２２ａ）の戸先框側辺に裂開導入凹部３２２ｂが形成されている。
【００２０】
取付部（取付穴３２２ａ）に裂開導入凹部３２２ｂを設けることによって、バール等による強靭なこじ開け力が内、外障子２，３に生じた場合には、内障子２の振止部材６の凹部６３ａに当接固定されるサブロック５のロック部材５２は戸先側に向かう力を受けることになるが、取付部（取付穴３２２ａ）の戸先側辺に裂開導入凹部３２２ｂが形成されていることで、裂開導入凹部３２２ｂを起点にして下框３２の樹脂下框３２２が裂き開かれて、図７（ａ）（ｂ）に示すように、サブロック５が下框３２の樹脂下框３２２内にめり込むことなく戸先側に移動するので、下框３２の室内側面に突出した状態を維持することができる。
【００２１】
そして、バール等によるこじ開けによって強靱なこじ開け力が生じても、サブロック５によるロック状態を解除することができず、障子が全開することがない。
【００２２】
以上のように、本実施形態においては、外障子の下框の室内側面に配置されるサブロック５のロック部材５２の先端部にロック凸部５２１ａを形成し、ロック凸部５２１ａが内障子２の召合框２３の下端に配置した振止部材６の内周壁部６３に形成された凹部６３ａに係合することで内外障子の開放を規制するので、バール等によってこじ開けようとしても、こじ開けによってロック部材５２が室内外方向に外れることない。
また、バール等によるこじ開けによってロック部材５２に係る力を振止部材６に受け、振止部材６の振れ止め部６２を介して内案内レール１２ａによって受けることができるので、強固な規制状態を維持することができる。
【００２３】
さらに、バール等によるこじ開けによってさらに強力なこじ開け力がかかった場合には、サブロック５を取付固定するための取付穴３２２ａの戸先側辺に裂開導入凹部３２２ｂが形成されており、取付穴３２２ａの戸先側辺が裂き開かれることを導くので、サブロック５が下框の中空内部にめり込んでロック部材５２が収容状態になってしまうことを防止して、サブロックによる開放規制状態をさらに維持することができる。
なお、本実施形態における裂開導入部は、取付穴に設けられた裂開導入凹部により形成されているが、薄肉部としてもよいし、サブロックが押し付けられることにより下框の取付穴の戸先側辺の樹脂下框を裂き開いて移動させることができるものであれば、その形状等は何ら限定されるものではない。
【００２４】
（他の実施形態）
先の実施形態の障子においては、裂開導入部は、外障子３の下框３２の取付部（取付穴３２２ａ）に設けられた裂開導入凹部３２２ｂとして形成されているが、これに限らず、サブロック５のケース部材５１の戸先側部分に裂開導入凸部５１１ｄを設けて構成してもよい。
具体的には、裂開導入凸部５１１ｄは、図８（ａ）（ｂ）に示すように、ケース部材５１の戸先側面の鍔部５１２と係合片５１３との間の部位に三角に突出する突起として形成されている。
一方、図８（ｃ）に示すように、下框３２の取付穴３２２ａの戸先側辺には、収納凹部３２２ｃが形成されており、図８（ｄ）に示すように、サブロック５を取付穴３２２ａに取り付けた状態において、サブロック５の裂開導入凸部５１１ｄが取付穴３２２ａの収納凹部３２２ｃ内に配置されるようになっている。
【００２５】
このように、サブロック５の戸先側面に裂開導入凸部５１１ｄを設けることによって、バール等による強靭なこじ開け力によりサブロック５が下框３２の取付穴３２２ａの戸先側辺に強く押し付けられ、取付穴３２２ａの収納凹部３２２ｃの上下にある戸先側辺が変形したときには、サブロック５の裂開導入凸部５１１ｄが下框３２の取付穴３２２ａの収納凹部３２２ｃの戸先側辺に当接して裂き開くことを導き、サブロック５が下框３２の樹脂下框３２２内にめり込むことなく戸先側に移動するので、下框３２の室内側面に突出した状態を維持することができる。
【００２６】
なお、本実施形態における裂開導入部は、サブロックの戸先側部分に設けられた裂開導入凸部により形成されているが、サブロックが押し付けられることにより下框の取付穴の戸先側の樹脂下框を裂き開いて移動させることができるものであれば、その形状等は何ら限定されるものではない。
また、本実施形態においては、障子として引違い障子を採用しているが、室内側の障子がｆｉｘされた片引き障子でもよい。
さらに、横框は、上框でも下框でも、その他の横框でもよい。また、室内側が樹脂部材、室外側がアルミ部材により形成された複合框材であってもよいし、全体が樹脂部材により形成された樹脂框材であってもよく、さらに言えば、少なくともサブロックが配置される室内側部分が樹脂部材により形成されていればよい。
【符号の説明】
【００２７】
１        ：枠体
１２ａ    ：内案内レール
２        ：内障子
２３      ：召合框
３        ：外障子
３２      ：下框
３２２    ：樹脂下框
３２２ａ  ：取付穴
３２２ｂ  ：裂開導入凹部（裂開導入部）
３２２ｃ  ：収納凹部
３４      ：召合框
３４ａ    ：間口底部
３４１    ：室内側間口壁
４        ：クレセント錠
５        ：サブロック
５１      ：ケース部材
５１ａ    ：支軸
５１１    ：枠状部
５１１ａ  ：係合弾性片
５１１ｂ  ：保持片部
５１１ｃ  ：位置決め突起
５１１ｄ  ：裂開導入凸部（裂開導入部）
５１２    ：鍔部
５１３    ：係合片
５１４    ：係合片
５２      ：ロック部材
５２１    ：ロック本体
５２１ａ  ：ロック凸部
５２１ｂ  ：位置決め部
５２１ｃ  ：軸穴
５２１ｄ  ：位置決め凹部
６        ：振止部材
６１      ：挿入取付部
６２      ：振れ止め部
６３      ：内周壁部
６３ａ    ：凹部
６３ｂ    ：外れ止め凸部
【図１】
2018104918.tif 000003
【図２】
2018104918.tif 000004
【図３】
2018104918.tif 000005
【図４】
2018104918.tif 000006
【図５】
2018104918.tif 000007
【図６】
2018104918.tif 000008
【図７】
2018104918.tif 000009
【図８】
2018104918.tif 000010